(57)【要約】【課題】  インヒビタスイッチの全体サイズを小型にし、コスト低減を図る。【解決手段】  基盤１５のシャフト穴１９まわりに回動可能に可動接点を備える可動盤を配置し、基盤１５上には複数の固定接点５０〜５２をシャフト穴１９を挟む両側にわたって配置する。可動盤の回動に応じて固定接点５０〜５２と可動盤の可動接点とが断接する。固定接点を大きな角度範囲にわたって配置することにより固定接点を並べる円弧の列数を少なくでき、シャフト穴１９から最外周の固定接点５０の円弧Ｃｅまでの距離が大きくならず、全体としてのサイズが小型に収まり、またその結果、固定接点の材料費も低減する。【選択図】        図２
2006134580.tif 000002
【特許請求の範囲】
【請求項１】
基盤と蓋体から形成されたスイッチケース内に、所定の角度範囲で回動可能の可動盤を配置し、基盤の内壁に設けた複数の固定接点と可動盤に設けた可動接点を可動盤の回動に応じて断接させるロータリ式切換えスイッチであって、
前記複数の固定接点が前記可動盤の回動軸まわりに前記所定の角度範囲を越えた範囲にわたって配置されていることを特徴とするロータリ式切換えスイッチ。
【請求項２】
前記複数の固定接点が、前記可動盤の回動軸まわりの３６０°を設定可能範囲として、配置されていることを特徴とする請求項１記載のロータリ式切換えスイッチ。
【発明の詳細な説明】
【技術分野】
【０００１】
本発明は、ロータリ式切換えスイッチに関する。
【背景技術】
【０００２】
従来のロータリ式切換えスイッチとして、例えば車両用自動変速機のセレクトレバーに付設されるインヒビタスイッチがあり、その例が実開平６−６８２６５号公報に提案されている。
これは、基盤と蓋体でスイッチケースを構成し、基盤には固定接点を配設するとともに、スイッチケース内に回動可能に配置した可動盤に可動接点を配設したものである。
図６は、上記と同様に構成されたインヒビタスイッチにおける、基盤上の固定接点の配設例を示す。
【０００３】
すなわち、基盤１５’は貫通するシャフト穴１９を要（かなめ）にして扇状に形成され、シャフト穴１９を中心とする複数列の円弧上に固定接点５０’が配置されている。
これら一群の固定接点５０’はシャフト穴１９から所定の角度範囲に配設され、これらの固定接点５０’と図示省略の可動盤を収容するスイッチケース内部空間を画成するため、基盤１５’はその周縁に側壁１７’を有している。
可動盤をシャフト穴１９まわりに回動させることにより、その可動接点が固定接点５０’と摺接して、スイッチ作用をなす。
【特許文献１】実開平６−６８２６５号公報
【発明の開示】
【発明が解決しようとする課題】
【０００４】
上記のインヒビタスイッチでは、シャフト穴１９は基盤１５’の最隅部に設けられており、基盤上の一群の固定接点５０’はシャフト穴１９から一方向に所定の角度範囲内にまとめて配設されている。
この結果、固定接点５０’の円弧の列数が増すほど、シャフト穴１９から最外周の固定接点の円弧までの距離が大きくなる。シャフト穴１９から固定接点５０’の円弧までの距離が大きくなると、可動盤の回動角度が同じでも当該円弧の長さが大きくなって基盤１５’および可動盤が大きくなり、全体サイズが大型化するとともに、円弧上の固定接点の長さも大きくなるので、固定接点５０’の材料費も多大となってしまい、コストを増大させるおそれがあり、改善の余地がある。
【０００５】
したがって本発明は、上記の問題点にかんがみ、全体サイズの小型化可能なロータリ式切換えスイッチを提供することを目的とする。
【課題を解決するための手段】
【０００６】
このため、本発明は、基盤と蓋体から形成されたスイッチケース内に、所定の角度範囲で回動可能の可動盤を配置し、基盤の内壁に設けた複数の固定接点と可動盤に設けた可動接点を可動盤の回動に応じて断接させるロータリ式切換えスイッチであって、複数の固定接点が可動盤の回動軸まわりに上記所定の角度範囲を越えた範囲にわたって配置されているものとした。
【発明の効果】
【０００７】
固定接点が例えば回動軸を挟む両側に分けて配置されるので、回動軸から最外周の固定接点の円弧までの距離が大きくならず、全体としてのサイズが小型に収まり、またその結果、固定接点の材料費も低減する。
【発明を実施するための最良の形態】
【０００８】
以下、本発明の実施の形態について詳細に説明する。
図１はインヒビタスイッチに適用した実施の形態の構成を示す断面図、図２は基盤の縮小平面図である。
インヒビタスイッチ１は、それぞれ樹脂製の基盤１５と蓋体３０を重ねてスイッチケース１０を形成し、スイッチケース１０内に可動盤４０を配置してある。
基盤１５は、固定接点５０〜５２を設けたターミナルブロック部１６と、ターミナルブロック部１６の周縁から立ち上がる側壁１７と、さらにターミナルブロック部１６から側壁１７より外方に延びたコネクタ部１８からなっている。
ターミナルブロック部１６には可動盤４０のシャフト４１が貫通するシャフト穴１９が設けられ、ターミナルブロック部１６の外壁面（図１では下面）側にはシャフト穴１９を囲んでシール受け部２０が設けられている。
【０００９】
蓋体３０は、その本体部３１が基盤１５のターミナルブロック部１６と対応する平面形状を有し、その周縁には基盤１５の側壁１７と対向する突条部３２を有している。また本体部３１は、ターミナルブロック部１６のシャフト穴１９に対応させて可動盤４０のシャフト４１が貫通するシャフト穴３３を備え、外壁面（図１では上面）側にはシャフト穴３３を囲んでシール受け部３４が設けられている。本体部３１の内壁面はシール受け部３４に対応するシャフト穴３３まわりの所定範囲が所定量だけ突出した突出部３５となっている。
【００１０】
可動盤４０は、可動接点６０を支持する樹脂製の接点支持部４５と、接点支持部４５と一体のシャフト４１とからなる。シャフト４１は拡径部４３を挟んで上方に延びる上部シャフト４２と下方に延びる下部シャフト４４からなり、拡径部４３の上半部から接点支持部４５が径方向に延びている。
シャフト４１には貫通穴４７が設けられ、貫通穴４７にはその直径線上に対向してキー突条４８が形成されている。
【００１１】
シャフト４４は、その上部シャフト４２が蓋体３０のシャフト穴３３を貫通し、下部シャフト４４が基盤１５のシャフト穴１９を貫通する。このシャフト４４を軸として接点支持部４５がスイッチケース１０内で回動可能となっている。
接点支持部４５の上面には、蓋体本体部３１の突出部３５の高さに対応する高さのスペーサ部４６が形成されている。
スイッチケース１０内に可動盤４０が組み付けられた状態において、可動盤４０はシャフトの拡径部４３の上端面が蓋体本体部３１の突出部３５に当接して、図１中、上方への移動が規制され、拡径部４３の下端面がターミナルブロック部１６の内壁面に当接して下方への移動が規制される。
【００１２】
シール受け部２０は、シャフト穴１９の穴縁から所定の間隙をおいた位置で外方へ立ち上がった保持壁２１を備え、シール受け部３４も同様に外方へ立ち上がった保持壁３６を備える。
シャフト４１の上部シャフト４２、下部シャフト４４はそれぞれシール受け部２０、３４内にまで延び、各シール受け部に保持されたリング状のシール材２２、３７に包まれ、これによりシャフト４１の貫通部分からスイッチケース１０内へのダストの侵入が阻止される。
【００１３】
基盤１５の側壁１７はターミナルブロック部１６の全周を囲んで閉じており、その上端がターミナルブロック部１６の内壁面と平行な一平面をなすとともに、当該上端面２３（図３参照）には凹条部２４が側壁１７の全周にわたって形成されている。また、蓋体３０の突条部３２も本体部３１の全周を囲んで閉じており、側壁の凹条部２４に嵌り合い、高周波溶着により突条部３２と側壁１７が接合されて、基盤１５と蓋体３０とが一体となったスイッチケース１０が形成される。
基盤１５には取付け用のブラケット３が一部埋め込まれている。
【００１４】
より詳細には、溶着前の状態において、側壁１７の凹条部２４には図３の（ｂ）に示すように、その奥部の内周側および外周側に溶着用傾斜面２５、２６が形成されており、蓋体３０の突条部３２には（ａ）に示すように、その先端の内周側および外周側に溶着用肩部３８、３９が形成されている。そして、側壁１７の上端面２３を蓋体３０の本体部３１の内壁面に当接させたとき、突条部３２の溶着用肩部３８、３９が凹条部２４の溶着用傾斜面２５、２６と干渉するように設定されており、高周波溶着により干渉部分が溶融して全周にわたって突条部３２と側壁１７が接合される。なお、この際、凹条部２４にグリースを塗布した状態で高周波溶着することにより、溶融状況のぶれによって微小な非接合部分が生じることがあっても確実にスイッチケース１０の密封が確保される。
【００１５】
とくに図２に示すように、基盤１５のターミナルブロック部１６には、シャフト穴１９を中心として、シャフト穴１９まわりの３６０°の範囲を設定可能範囲として、固定接点がスイッチ回路の仕様に基く必要位置に設定配置される。図示例では、従来と同様の角度範囲における４列の円弧Ｃａ〜Ｃｄ上に、一群の固定接点５０が配置され、さらに角度がずれた位置に固定接点５１、５２が配置されている。
固定接点５２は、上記一群の固定接点５０に対して、シャフト穴１９を挟んだ反対側に円弧Ｃｆ上に配置され、固定接点５１は固定接点５０の一群と固定接点５２の間の角度範囲に設定されている。各固定接点５０〜５２はスイッチ回路の仕様に応じてその周方向長さや相互間の距離が設定されている。
各固定接点５０、５２はターミナルブロック部１６の内壁上面を、あるいはターミナルブロック部１６内に埋め込まれた形で、それぞれコネクタ部１８へ延びる接続片部５４を有しており、その先端はコネクタ部１８における図示しない端子となっている。
【００１６】
図４は可動盤を示す平面図であり、基盤を仮想線で示している。図５は図４におけるＡ−Ａ断面図である。
可動盤４０は可動接点６０を埋め込んだインサート成型で作製されている。可動接点６０はターミナルブロック部１６の円弧列Ｃａ〜Ｃｄ、Ｃｆに対応して、各円弧上の固定接点５０〜５２と摺接するように、接点支持部４５（４５ａ、４５ｂ、４５ｃ）から円弧方向に略沿って延びる弾性を持ったスライダ片６１（６１ａ〜６１ｆ）を備えている。
そのうち、スライダ片６１ａ〜６１ｄは、円弧列Ｃａ〜Ｃｄ上の一群の固定接点５０に対応し、スライダ片６１ｅは円弧Ｃａ上の固定接点５１に対応し、スライダ片６１ｆは円弧Ｃｆ上の固定接点５２と摺接可能に対応させてある。
所定のスライダ片同士、あるいはすべてのスライダ片が、スイッチ回路の仕様に応じて、接点支持部４５側根元部分または接点支持部４５内で互いに接続している。
【００１７】
なお、接点支持部４５ａにはスペーサ部４６が形成されているので、弾性を持ったスライダ片６１が固定接点５０に押し付けられたときの反力により接点支持部４５を曲げようとする力が作用しても、スペーサ部４６が蓋体本体部３１の内壁面に当接して、接点支持部４５の変形を防止する。
【００１８】
以上のように構成されたインヒビタスイッチ１は、図示しない自動変速機側回転軸をシャフト４１の貫通穴４７に貫通させて、ブラケット３により自動変速機側に取り付けられる。貫通穴４７のキー突条４８が自動変速機側回転軸の図示しないキー溝と噛み合うことにより、シャフト４１と自動変速機側回転軸は回転方向に一体となり、自動変速機側回転軸の回動とともに可動盤４０がスイッチケース１０内で回動する。
【００１９】
実施の形態は以上のように構成され、基盤１５と蓋体３０から形成されたスイッチケース１０内に限定された角度範囲で回動可能な可動盤４０を配置し、基盤１５の内壁に設けた複数の固定接点と可動盤に設けた可動接点を可動盤４０の回動に応じて断接させるインヒビタスイッチ１において、固定接点５０〜５２が動盤４０の回動軸まわりの３６０°を設定可能範囲として配置されているので、固定接点を並べる円弧の列数を少なく抑えることができる。このため、シャフト４１から最外周の固定接点の円弧Ｃｅまでの距離が大きくならず、全体としてのサイズが小型に収まり、固定接点の材料費も低減し、しかも、多接点配置が可能となる効果を有する。
【００２０】
また実施の形態では、スイッチケース１０を構成する基盤１５と蓋体３０が、互いに内周側と外周側２つずつの溶着用傾斜面２５、２６と溶着用肩部３８、３９を備える基盤側側壁１７の凹条部２４と蓋体３０の突条部３２との高周波溶着により接合されているので、とくに結合が確実であり、また高度のシール効果が得られる。グリース塗布も併用すればさらにシール効果が向上する。
また、可動接点６０は接点支持部４５にインサートされているので、組みつけの手間が不要であるとともに、ガタの発生もないから、ヒステリシスの心配もなく、スイッチとしての切換え精度が高い。
【００２１】
なお、実施の形態では、一群の固定接点５０が４列の円弧Ｃａ〜Ｃｄ上に配置され、固定接点５１、５２は各１列の円弧Ｃａ、Ｃｆとした例について説明したが、各列数はこれに限定されることなく、任意に設定可能である。また、各列上の固定接点の長さや配置も一例を示したのみであって限定されない。
さらに、実施の形態はインヒビタスイッチに適用した例を示したが、本発明はこのほか種々のロータリ式切換えスイッチに適用できる。
【図面の簡単な説明】
【００２２】
【図１】実施の形態の構成を示す断面図である。
【図２】基盤の縮小平面図である。
【図３】溶着部の構造を示す図である。
【図４】可動盤を示す平面図である。
【図５】図４におけるＡ−Ａ断面図である。
【図６】従来例を示す図である。
【符号の説明】
【００２３】
１      インヒビタスイッチ
３      ブラケット
１０    スイッチケース
１５    基盤
１６    ターミナルブロック部
１７    側壁
１８    コネクタ部
１９、３３    シャフト穴
２０、３４    シール受け部
２１、３６    保持壁
２２、３７    シール材
２３    上端面
２４    凹条部
２５、２６    溶着用傾斜面
３０    蓋体
３１    本体部
３２    突条部
３５    突出部
３８、３９    溶着用肩部
４０    可動盤
４１    シャフト
４２    上部シャフト
４３    拡径部
４４    下部シャフト
４５    接点支持部
４６    スペーサ部
４７    貫通穴
４８    キー突条
５０、５１、５２    固定接点
５４    接続片部
６０    可動接点
６１、６１ａ〜６１ｅ    スライダ片
Ｃａ〜Ｃｄ、Ｃｅ    円弧
【図１】
2006134580.tif 000003
【図２】
2006134580.tif 000004
【図３】
2006134580.tif 000005
【図４】
2006134580.tif 000006
【図５】
2006134580.tif 000007
【図６】
2006134580.tif 000008